(57)【要約】 【課題】  ホタテガイやカキの養殖において、その生育の促進を図り得る水棲生物生育促進材を提供する。【解決手段】  この水棲生物生育促進材は、粉状集合体１が布材２中に収納されてなる。この水棲生物生育促進材は、海水中に浸漬して用いられる。粉状集合体１は、鉄粉、炭粉及び砂又は高炉スラグ粉を含有するものである。布材２は、粉状集合体１を粉状のまま海水中に漏出させず、かつ、海水は自由に透過させるものである。この水棲生物生育促進材を海水中に浸漬すると、鉄粉中のＦｅと炭粉中の炭素（Ｃ）との間で電触作用が生じる。そして、Ｆｅは２価のイオンとなって、布材１を通して海水中に放出される。２価の鉄イオンにより、海水中の水棲生物の生育促進が図られるのである。【選択図】  図２
2011139675.tif 000002
【特許請求の範囲】
【請求項１】
粉状集合体が布材中に収納されてなり、海水中に浸漬して用いられる水棲生物生育促進材であって、
該粉状集合体は、鉄粉、炭粉及び砂又は高炉スラグ粉を含有するものであり、
該布材は、該粉状集合体を粉状のまま海水中に漏出させず、かつ、海水を自由に透過させるものであることを特徴とする水棲生物生育促進材。
【請求項２】
鉄粉がシリコン鉄粉である請求項１記載の水棲生物生育促進材。
【請求項３】
布材が熱可塑性繊維を構成繊維の主体とする不織布であって、熱可塑性繊維が低融点成分と高融点成分とからなる複合繊維であり、該低融点成分が融着固化することにより、該構成繊維相互間が結合している請求項１記載の水棲生物生育促進材。
【請求項４】
熱可塑性繊維を構成繊維の主体とするテープ状不織布が、その長手方向に直列に配置している小室群を備えており、各小室内には粉状集合体が収納されており、該小室群以外の箇所は、該熱可塑性繊維が融着固化して、各小室を区画している請求項１記載の水棲生物生育促進材。
【請求項５】
水棲生物が、海苔やモズク等の藻類、カキやホタテガイ等の貝類又は魚類である請求項１記載の水棲生物生育促進材。
【請求項６】
貝類を駕籠内で養殖する際に、駕籠内に収納して海水中で用いられる請求項１記載の水棲生物生育促進材。
【発明の詳細な説明】
【技術分野】
【０００１】
本発明は、魚類、貝類及び藻類等に代表される水棲生物の生育を促進するための水棲生物生育促進材に関し、特に、魚類、貝類及び海草類を養殖する際に用いたり、藻場の再生のために藻類を繁殖させる際に用いる水棲生物生育促進材に関するものである。
【背景技術】
【０００２】
従来より、カキ、ホタテガイ、海苔、モズク等の水棲生物を養殖する際に、水棲生物の生育に供しうる肥料等の有効物質を施すことが行われている。本件出願人は、テープ状不織布に小室を設け、この小室に肥料等の有効物質を収納した水棲生物養殖用施肥テープを提案した（特許文献１）。
【０００３】
【特許文献１】実用新案登録第３１４５４７５号公報（実用新案登録請求の範囲の項）
【発明の開示】
【発明が解決しようとする課題】
【０００４】
本件出願人の提案した水棲生物養殖用施肥テープは、テープ状不織布に小室を設けることに関する工夫が施されてなるものである。本件出願人は、かかる水棲生物養殖用施肥テープを用いて、カキやホタテガイ等の貝類の養殖を行っていたところ、特定の有効物質を用いれば、カキやホタテガイ等の貝類の生育促進が、より向上することを見出した。本発明はかかる知見に基づいてなされたものである。
【課題を解決するための手段】
【０００５】
すなわち、本発明は、粉状集合体が布材中に収納されてなり、海水中に浸漬して用いられる水棲生物生育促進材であって、該粉状集合体は、鉄粉、炭粉及び砂又は高炉スラグ粉を含有するものであり、該布材は、該粉状集合体を粉状のまま海水中に漏出させず、かつ海水を自由に透過させるものであることを特徴とする水棲生物生育促進材に関するものである。
【０００６】
本発明に係る水棲生物生育促進材は、粉状集合体１が布材２中に収納されてなるものである。本発明は粉状集合体１の構成に特徴を有するものであり、粉状集合体１は、鉄粉、炭粉及び砂又は高炉スラグ粉を含有するものである。鉄粉としては、Ｆｅを含有する金属であれば、どのようなものでも用いられる。たとえば、シリコン鉄粉が安価で好適である。また、製鋼スラグ粉等のスラグ粉もＦｅの含有量は比較的少ないが、安価であるので好適である。炭粉としては、炭素を主成分とする粉であれば、どのようなものでも用いられる。たとえば、木炭粉、竹炭粉、ヤシガラ炭粉、練炭粉、コークス粉等が用いられる。砂としては、従来周知のものが用いられ、たとえば、山砂、川砂、海砂、浜砂、陸砂等が用いられる。また、砂と共に又は砂に代えて、高炉スラグ粉を用いることもできる。高炉スラグ粉は、天然の岩石に類似した成分を有しており、砂の代替品として用いうるのである。鉄粉、炭粉及び砂又は高炉スラグ粉の配合割合は任意である。
【０００７】
また、粉状集合体１のみではなく、その他の肥料も粉状集合体１と共に布材２中に収納してもよい。その他の肥料としては、窒素質肥料、リン酸質肥料、塩化ナトリウム、塩化マグネシウム、有機酸、無機酸、キトサン、固形人糞等を単独で又は混合して用いることができる。その他の肥料は、一般的には粉末状、顆粒状又はゲル状で、粉状集合体１と共に布材２中に収納される。その他の肥料を収納することにより、特に海苔養殖において、海苔の色落ちを防止しうるという効果を奏する。
【０００８】
布材２は、粉状集合体１を収納するものである。したがって、粉状集合体１が布材１の外へ漏出するものであってはならない。海水に浸漬した場合に粉状集合体１が外部へ漏出すると、鉄粉と炭粉との間で電触作用が生じにくくなるからである。粉状集合体１の各粉が大きいものであれば、織物や編物であって、比較的目の粗いものであっても、各粉が漏出しないため用いることができる。また、粉状集合体１の各粉が小さいものであれば、目の細かい不織布や編織物が用いられる。そして、布材２は、海水を自由に透過させるものである。これにより、電触作用によって鉄粉から溶出した２価の鉄イオンが、布材２を通して、海水中に放出されるのである。
【０００９】
本発明において、布材２としては、以下のような不織布が好適である。すなわち、熱可塑性繊維を構成繊維の主体とし、熱可塑性繊維が低融点成分と高融点成分とからなる複合繊維であって、低融点成分が融着固化することにより、構成繊維相互間が結合している不織布を採用するのが好ましい。かかる不織布は、高強度であるため、波等の衝撃を受けても破損しにくいからである。
【００１０】
布材２に粉状集合体１を収納する方法としては、任意の方法が採用しうる。たとえば、布材２で袋を形成した後、この袋の中に粉状集合体１を収納し、袋の口を緊締、溶着、縫製等の手段で封すればよい。本発明において特に好ましいのは、前記した特許文献１に記載した方法である。
【００１１】
具体的には以下のとおりである。まず、熱可塑性繊維を構成繊維の主体とするテープ状不織布よりなる布材１を、その長手方向に沿って二つ折りする。そして、幅方向に亙って、熱可塑性繊維を融着固化して、間歇的に幅方向熱シール領域６，６，６・・・を作成する。幅方向熱シール領域６，６の間に、二つ折りした折り目に対向する長手方向端縁が開いた袋が形成されるので、その長手方向端縁から粉状集合体１を投入する。この後、折り目に対向する長手方向端縁において、熱可塑性繊維を融着固化し、長手方向端縁を熱シールして長手方向熱シール領域９を作成して、粉状集合体１を封すればよい。かかる方法で形成されたテープ状の水棲生物生育促進材は、その長手方向に直列に配置している小室群内に粉状集合体１が収納されており、小室群以外の箇所は、熱可塑性繊維が融着固化して、各小室を区画しているものである。かかるテープ状の水棲生物生育促進材は、図１に示すように小室を３個以上有する態様で使用してもよいし、これを裁断して図３に示すように小室を２個有する態様又は図４に示すように小室を１個有する態様で使用してもよい。
【００１２】
本発明に係る水棲生物生育促進材は、海水中に浸漬して任意の方法で用いることができる。たとえば、カキやホタテガイ等の貝類を駕籠内で養殖する際には、駕籠に取り付けて使用したり、駕籠内に収納して使用してもよい。また、カキ等の貝類を筏式垂下法で養殖する際には、筏の周縁に取り付けて使用してもよいし、筏に吊るして使用してもよい。海苔養殖場で使用する場合、水棲生物生育促進材の一端を、養殖場に設置した一つの支柱に縛り付け、他の一端を他の支柱に縛り付けて、取り付けることができる。また、海苔養殖網の周縁に沿って数カ所縛りつけ、網に取り付けることもできる。さらに、古網等の繊維製品に任意に取り付けて、これを海底に沈めて藻場の再生を図ることもできる。
【００１３】
また、水棲生物生育促進材をテープ状として、これを芯とし、これを編組体で被覆することもできる。すなわち、水棲生物生育促進材を芯として供給しながら、合成繊維製ストランドを用い、編組機械で編組し、製紐して水棲生物生育促進ロープとすることもできる。合成繊維製ストランドとしては、合成繊維製マルチフィラメント糸条，合成繊維製モノフィラメント糸条，合成繊維製紡績糸条等が用いられる。この水棲生物生育促進ロープもまた、水棲生物生育促進材と同様にして使用しうるものであり、たとえば、支柱に縛り付けたり、網に縛り付けたりして使用することができる。
【発明の効果】
【００１４】
本発明に係る水棲生物生育促進材は、以下の作用により、カキやホタテガイ等の貝類等の水棲生物の生育促進が図られるものである。すなわち、鉄粉中のＦｅは多くの場合３価として存在する。この鉄粉を炭粉と共に海水中に浸漬すると、鉄粉中のＦｅと炭粉中の炭素（Ｃ）との間で電触作用が生じ、ＦｅとＣとの間で電池が形成される。そうすると、電流が流れ、Ｆｅは２価の鉄イオンになって、布材を通して海水中に溶け出す。そして、水棲生物は、この２価の鉄イオンを直接体内に取り入れて、生育促進が図られるものと考えられる。あるいはまた、２価の鉄イオンが海水中に存在することにより、海水中のプランクトンの繁殖が盛んになり、このプランクトンを栄養分として水棲生物の生育促進が図られるものと考えられる。なお、粉状集合体中の砂又は高炉スラグ粉は、鉄粉が固まらないようにしたものであり、鉄粉から有効に２価の鉄イオンが溶け出すようにするためのものである。
【実施例】
【００１５】
実施例１
鉄粉１０体積部、炭粉１０体積部及び海砂１０体積部よりなる粉状集合体を布材に収納して、図１及び２に示したような長手方向に連続した水棲生物生育促進材を得た。この水棲生物生育促進材の幅は２．５ｃｍで、収納されている粉状集合体の重量は１００ｇ／ｍである。そして、水棲成分生育促進材に設けられている小室は、その幅が１．７ｃｍで長さが１１．２ｃｍであり、小室間の間隔（すなわち、隣り合う小室間に設けられた幅方向熱シール領域６の長手方向長さ）は０．８ｃｍである。この水棲生物生育促進材を長さ約１ｍに裁断して、ホタテガイ養殖用駕籠内に稚貝と共に入れた。そして、このホタテガイ養殖用駕籠を函館噴火湾の海水中に１ケ月間浸漬して、ホタテガイを養殖した。養殖後のホタテガイの重量は、一個当たり平均約３７．２ｇであった。
【００１６】
比較例１
水棲生物生育促進材をホタテガイ養殖用駕籠内に入れない他は、実施例１と同一の方法で、稚貝を養殖した。養殖後のホタテガイの重量は、一個当たり平均約３１．３ｇであった。
【００１７】
実施例１と比較例１を対比すれば明らかなように、本発明に係る水棲生物生育促進材を用いてホタテガイの養殖をした場合、一個当たりの重量が約１９％増加しており、ホタテガイの生育促進が図られていることが分かる。
【００１８】
実施例２
実施例１で用いた水棲生物生育促進材を長さ約２４ｃｍに切断し、小室が２個存在する水棲生物生育促進材を得た。したがって、粉状集合体の重量は約２０ｇである。そして、本垂下した後の殻付きカキを、養殖用駕籠内にこの水棲生物生育促進材と共に入れ、この養殖用駕籠を岡山県邑久町虫明の海水中に１ケ月間浸漬して、殼付きカキを育成した。育成後の殼付きカキは、その身が締まっていた。
【００１９】
比較例２
水棲生物生育促進材を養殖用駕籠内に入れない他は、実施例２と同一の方法で、殼付きカキを育成した。育成後の殼付きカキは、実施例２のものに比べて、その身が締まっていなかった。
【００２０】
実施例３
実施例１で用いた水棲生物生育促進材を長さ約５ｍに切断して、テープ状水棲生物生育促進材を得た。このテープ状水棲生物生育促進材１０本を、岡山県邑久町虫明でのカキ養殖において、本垂下した筏（幅１０ｍで長さ２０ｍ）の後ろ半分１０ｍに適宜の間隔で垂下した。テープ状水棲生物生育促進材を垂下した時点では、筏は平衡を保っていたが、約１ケ月経過には筏が後ろに傾いた。この結果から、水棲生物生育促進材と近接して垂下されているカキの生育が促進されていることが分かる。
【図面の簡単な説明】
【００２１】
【図１】本発明の一例に係る水棲生物生育促進材の平面図である。
【図２】図１の水棲生物生育促進材のＡ−Ａ線断面図である。
【図３】本発明の他の例に係る水棲生物生育促進材の平面図である。
【図４】本発明の他の例に係る水棲生物生育促進材の平面図である。
【符号の説明】
【００２２】
１      粉状集合体
２      布材
６      幅方向熱シール領域
９      長手方向熱シール領域
【図１】
2011139675.tif 000003
【図２】
2011139675.tif 000004
【図３】
2011139675.tif 000005
【図４】
2011139675.tif 000006